(57)【特許請求の範囲】
【請求項１】
貫通する小径の内腔、近位部分及び遠位部分を有する展開カテーテルであって、体内の血管を通過するために十分な可撓性がある材料から形成され、前記カテーテルの前記近位部分は、液圧が前記カテーテルの前記内腔に加えられたときに半径方向に拡張しない特徴を有し、前記カテーテルの前記遠位部分は、液圧が前記カテーテルの前記内腔に加えられたときに半径方向に拡張する特徴を有する展開カテーテルと、
近位部分及び遠位部分を有し、前記遠位部分は半球の形態をとり、前記近位部分は、シリンダ形状をとるヘッド部分と、
可撓性ファイバの形をとり、近位端及び遠位端を有し、前記近位端が前記ヘッド部分の前記遠位端に取り付けられている中心接続部材と、
小径の球の形をとり、前記中心接続部材の前記遠位端の周りに配置された球形部材と、
前記展開カテーテルの近位部分に接続され、液圧発生装置に適用されるコネクタと、を有し、
前記ヘッド部分、前記中心接続部材、及び、前記球形部材により動脈瘤塞栓装置が構成されており、
前記ヘッド部分の前記近位部分は、液圧が前記カテーテルの内腔に加えられたときに前記カテーテルの前記遠位部分が半径方向に拡張し、前記ヘッド部分を解放するように前記展開カテーテルの遠位部分内に配置されており、前記ヘッド部分の前記近位部分は液圧が前記カテーテルの内腔に加えられていないときに前記カテーテルの内腔を密封している、動脈瘤塞栓装置及び人体の血管内の所定の位置に前記動脈瘤塞栓装置を配置する展開装置。
【請求項２】
前記ヘッド部分及び前記球形部材は、ポリマー材料からつくられる請求項１に記載の動脈瘤塞栓装置及び展開装置。
【請求項３】
前記ヘッド部分及び前記球形部材は、前記金属材料からつくられる請求項１に記載の動脈瘤塞栓装置及び展開装置。
【請求項４】
前記中心接続部材は、前記ワイヤが前記血管内の前記選択位置で展開した後、前記ワイヤが所定の形状をとるように形状記憶ワイヤの形態をとる請求項１に記載の動脈瘤塞栓装置及び展開装置。
【請求項５】
前記中心接続部材は、伸長可能なファイバである請求項１に記載の動脈瘤塞栓装置及び展開装置。
【請求項６】
前記ヘッド部分は、前記中心接続部材が前記ヘッド部分に取り付けられている位置で前記ヘッド部分の凹形状のくぼみ部分の形をとるポケットを有し、展開中、前記中心接続部材が前記ポケット内に巻き込まれる請求項１に記載の動脈瘤塞栓装置及び展開装置。
【請求項７】
前記球形部材は、前記中心接続部材が前記球形部分に取り付けられている位置で前記球形部材の凹形状くぼみ部分の形をとるポケットを有し、展開中、前記中心接続部材が前記ポケット内に巻き込まれる請求項１に記載の動脈瘤塞栓装置及び展開装置。
【請求項８】
前記球形部材は、前記球形部材に放射状に取り付けられている複数の可撓性フィラメントを有し、前記球形部材の阻止効果を向上させる請求項１に記載の動脈瘤塞栓装置及び展開装置。
【発明の詳細な説明】
【０００１】
【発明の属する技術分野】
本発明は、人体内の血管の所定の位置で血流を止めるための装置及び方法に関し、さらに詳細には、大きくまたは広範囲にわたる首の動脈瘤をふさぎ、動脈瘤内で塞栓装置を開放する展開装置に関する。
【０００２】
【従来の技術】
外科医は、長年にわたって、血栓の形成を促進することによって動脈瘤の治療を行うために人体の血管内に種々の装置を配置してきた。このような装置は、バルーン、コイル、ファイバリテーナ、複合固定部材及びマイクロペレットを含む。バルーンは、展開カテーテルを使用して動脈瘤に導入され、動脈瘤内で膨張される。バルーンは、ペアレント血管の血液が動脈瘤に入ることを防止する。
【０００３】
他の種の閉塞装置は、塞栓コイルである。塞栓コイルは、螺旋状に巻かれたコイル、ランダムに巻かれたコイル、他のコイル内で巻かれたコイルの形態をとるか、または多数の他のコイル形状をとる。これらのコイルは、プラチナ、金、及びタングステン、またはタングステンまたはこれらの合金の形態をとる。しばしば、血流を止めるために動脈瘤内にいくつかのコイルを処理することが必要になる。
【０００４】
さらに、少なくとも１つの繊維束を保持するリテーナが血流を止めることができる。このリテーナは、立方体形状、球形、シリンダ形、コイル形、長円形または他の同様の形状をとることができる。血栓用ファイバは、リテーナより長く、絹、木綿、ナイロン、またはポリウレタンからつくることができる。これらのファイバの束は、血管内の血液の流れを妨げる。この装置は、主に脈管構造のうちの小さい血管に使用される。
【０００５】
また、複合部材阻止装置が血管内の血流を止めることができる。この装置は、少なくとも１つの金属または非金属ファイバによって接続される２つまたはそれ以上の部材を有する。この部材は、種々の寸法及び形状を有する粒子またはコイルであってもよい。この装置は、カテーテルで展開され、固定部材が血管壁に対して止まるまで下流に流れる。この複合部材は、血流を大きく阻する助けとなる固定部材に接続される。この装置は、血管内の血流を止め、血管内での連続した疎通の危険性を低減する。
【０００６】
最後に、マイクロペレットは、生物学的な適合性のあるフォームまたはゲル材料から形成される。いくつかのマイクロペレットは、搬送ワイヤとともに連結することができ、マイクロペレットが液体に浸かったときに、それらは膨張して動脈瘤を充填することができる。膨張したマイクロペレットは、血流を阻止し、動脈瘤内に固定される。
【０００７】
バルーン、コイル、ファイバリテーナ、複数の部材の固定部材及びマイクロペレットは、動脈瘤の治療に有利な装置である。しかしながら、本発明は、大きなまたは広範囲な首の動脈瘤の治療に使用される。本発明は、動脈瘤の血流を阻止し、外れることを防止し、血液がペアレント血管を連続して流れることができるようにし、回収または再整列することができる塞栓用装置に関する。
【０００８】
【課題を解決するための手段】
本発明によれば、体内の血管内の所定の場所に動脈瘤塞栓装置を配置する際に使用するために動脈瘤塞栓装置及び展開装置が提供される。展開装置は、身体の脈管構造を通過するのに十分に可撓性を有する材料から形成された展開カテーテルを含む。カテーテルの近位部分は、液体の圧力がカテーテルの内腔に加えられるとき半径方向には膨張しない。カテーテルの遠位部分は、液体の圧力が加えられるときに半径方向に拡張する。展開装置は、ヘッド部分を有する。ヘッド部分の遠位部分は、半球形であり、ヘッド部分の近位部分は、円筒形であり、展開カテーテルの内腔内に配置されている。さらに、展開装置は、中心接続部材を含む。中心接続部材は、可撓性ファイバであり、一端がヘッド部分に取り付けられている。また、展開装置は、球形部材を含む。球形部材は、小径の球であり、中心接続部材の周りに配置されている。最後に、展開カテーテルの近位部分は、コネクタを含む。コネクタは、液体圧力発生装置に適用され、展開カテーテルの内腔に液体圧力を加え、カテーテルの遠位部分を半径方向に拡張し、それによってヘッド部分を解放し、動脈瘤塞栓装置を展開する。
【０００９】
本発明の他の側面によれば、人体の所定の位置の血流を阻止する際に使用される動脈瘤塞栓装置が提供される。動脈瘤塞栓装置は、ヘッド部分を含む。ヘッド部分の遠位部分は、半球形でヘッド部分の近位部分は円筒形であり、展開カテーテル内に配置されている。また、動脈瘤装置は、中心接続部材を含む。中心接続部材は、可撓性ファイバであり、一端がヘッド部分に接続されている。最後に、動脈瘤塞栓装置は、球形部材を含む。球形部材は、小径の球であり、中心接続部材の周りに配置される。
【００１０】
本発明による同様の側面によれば、ヘッド部分及び前記球形部材は、ポリマー材料からつくられる。
【００１１】
本発明による同様の側面によれば、前記ヘッド部分及び前記球形部材は、前記金属材料からつくられる。
【００１２】
本発明の同様の側面によれば、中心接続部材は、形状記憶ワイヤの形態をとり、動脈瘤塞栓装置が前記血管内の前記選択位置で展開した後、ワイヤは、所定の形状をとる。
【００１３】
本発明の他の同様な側面によれば、中心接続部材は、伸長可能なファイバの形態である。
【００１４】
本発明の同様な側面によれば、ヘッド部分は、中心接続部材が前記ヘッド部分に取り付けられている位置で前記ヘッド部分上の凹形状のくぼみ部分の形をとるポケットを有する。その結果、展開中、中心接続部材は、ポケット内に巻き込まれる。
【００１５】
本発明の他の同様な側面によれば、球形部材は、中心接続部材が前記球形部分に取り付けられている位置で前記球形部材上の凹形状くぼみ部分の形をとるポケットを有する。その結果、展開中、中心接続部材は、前記ポケット内に巻き込まれる。
【００１６】
本発明の同様な側面によれば、球形部材は、球形部材に放射状に取り付けられている複数の可撓性フィラメントを有する。このフィラメントは、球形部材の阻止効果を向上させる。
【００１７】
本発明の他の側面によれば、球形部材は、球形部材の周囲にタイムリリース接着剤を有する。この接着剤は、球形部材の阻止効果を向上させる。
【００１８】
本発明の他の側面によれば、動脈瘤塞栓装置及び展開装置は、６つの球形部材を有する。
【００１９】
本発明の他の側面によれば、血管内の所定の位置に動脈瘤塞栓装置を配置する方法が提供される。この方法は、細長い可撓性管を備えた送りカテーテルを用意する工程と、送りカテーテルを人体の脈管構造に導入する工程と、を有する。この方法は、展開カテーテルを有する展開装置を用意する工程を有する。カテーテルの近位部分は、液圧がカテーテルに加えられたときに半径方向に拡張しない特徴を有する。カテーテルの前記遠位部分は、液圧が前記カテーテルに加えられたときに半径方向に拡張する特徴を有する。さらに、この方法は、展開カテーテル内に配置されたヘッド部分を有する動脈瘤塞栓装置を用意する工程を含む。また、動脈瘤塞栓装置は、可撓性ファイバの形をとる中心接続部材を含む。接続部材の近位端は、ヘッド部分に取り付けられている。最後に、動脈瘤塞栓装置は、小径の球の形をとる球形部材を有する。球形部材は、中心接続部材の周りに配置されている。さらにこの方法は、展開装置及び動脈瘤塞栓装置を送りカテーテルに導入し、動脈瘤塞栓装置を血管内の所定の位置に整列させる工程を含む。この方法は、最後に液圧を展開カテーテルに加え、展開カテーテルの遠位部分を半径方向に拡張し、動脈瘤塞栓装置を解放する。
【００２０】
本発明の側面及び利点は好ましい実施の形態の詳細な説明及び図面からさらに明確に理解できる。
【００２１】
【発明の実施の形態】
図１は、展開カテーテル１８の近位部分１６にシリンジ１４を備えている動脈瘤塞栓装置１０及び展開装置１２を示す図である。シリンジ１４は、展開カテーテル１８の内腔２４に液体を注入するためにハンドル２２によって制御されるねじピストン２０を含む。動脈瘤塞栓装置１０は、展開カテーテル１８の遠位部分２６の内腔２４内に配置されている。また、展開カテーテル１８は、ウイング型ハブ２８を有し、このハブ２８は、展開カテーテル１８を人体の脈管構造に挿入する際に補助となる。
【００２２】
図２は、ヘッド部分３０、６つの球形部材３２、ヘッド部分３０と球形部材３２とを一緒に連結している中心接続部材３４を含む動脈瘤塞栓装置１０を示す図である。好ましくは、動脈瘤塞栓装置１０の長さは、約０．２６ｃｍ（０．１０２インチ）乃至約０．８１ｃｍ（０．３２インチ）の範囲であり、好ましい長さは、ほぼ０．３８ｃｍ（０．１４８インチ）である。球形部材３２は、ポリマー材料からつくられるが、ステンレススチールまたはプラチナのような他の生物適合性材料でつくることができる。ポリマーまたは金属材料のいずれかでつくられるにしても、球形部材３２は、動脈瘤塞栓装置１０を回収し再整列することができるように膨張不可能である。好ましくは、球形部材３２は、約０．０３ｃｍ（０．０１２インチ）乃至約０．０５ｃｍ（０．０２０インチ）の範囲である。好ましい実施形態において、球形部材３２の直径は、約０．０４ｃｍ（０．０１６インチ）である。球形部材３２は、中心接続部材３４の周りに成形され、接着されている。球形部材３２の球形状は、動脈瘤塞栓装置１０が変形し複雑な形状をとり、大きな動脈瘤を埋めることができるようにする。中心接続部材３４は、形状記憶合金であるNitinolでつくることができる。接続部材３４は、ステンレススチール、プラチナまたはポリマーのような他の材料でつくられる。好ましくは、球形部材３２の間の中心接続部材３４の長さは、約０．００４ｃｍ（０．００１５インチ）乃至約０．０４ｃｍ（０．０１５インチ）の範囲である。好ましい実施形態において、球形部材３２の間の中心接続部材３４の長さは、約０．０２ｃｍ（０．００６インチ）である。ヘッド部分３０はポリマー材料からつくられるが、ステンレススチールまたはプラチナのような他の生物適合性材料でつくることもできる。好ましくは、ヘッド部分３０の長さは、約０．０３ｃｍ（０．０１２インチ）乃至約０．０５ｃｍ（０．０２０インチ）の範囲である。好ましい実施形態において、ヘッド部分３０の長さは、約０．０４ｃｍ（０．０１６インチ）である。ヘッド部分３０の遠位部分３６は、半球形であり、ヘッド部分３０の長さの半分に等しい半径を有する。好ましい実施形態において、ヘッド部分３０の遠位部分３６の半径は、約０．０２ｃｍ（０．００８インチ）である。ヘッド部分３０の近位部分３８は、円筒形であり、ヘッド部分３０の遠位部分３６の半径に等しい半径を有する。フィラメント４０は、球形部材３２に成形され、球形部材３２と結合される。フィラメント４０は、ナイロンからつくられるが、アクリルまたはポリマーでつくることもできる。好ましくは、フィラメント４０の長さは、約０．０８ｃｍ（０．００３インチ）乃至約０．０３ｃｍ（０．０１０インチ）の範囲である。好ましい実施形態において、フィラメント４０の長さは、約０．０１ｃｍ（０．００５インチ）である。フィラメント４０は、０％乃至５０％の球形部材３２の表面をカバーする。好ましい実施形態ではカバー領域は約１０％である。
【００２３】
図３は、血管４４内に配置された送りカテーテル４２を通して搬送中の動脈瘤塞栓装置１０を備えた展開カテーテル１８を示している図である。ヘッド部分３０は、展開カテーテル１８の内腔２４内にしっかりと保持される。この位置で、ヘッド部分３０は、展開カテーテル１８の遠位部分２６で液密の密封を行うように作用する。
【００２４】
好ましくは、展開カテーテル１８の遠位部分１６は、約６２Ｄ乃至７５Ｄの範囲の硬度を有するPebax材料から形成される。近位部分１６は、人体内の脈管構造を通るために十分な可撓性を有するが、約９０ｐｓｉ乃至４５０ｐｓｉの液圧が展開カテーテル１８の内腔２４に加えられたときに近位部分１６の半径方向の拡張がほとんどないように十分な剛性を有する。展開カテーテル１８の遠位部分２６は、比較的に低い硬度のポリマー材料で形成されることが好ましいが、この硬度は、９０ｐｓｉ乃至４５０ｐｓｉの圧力が加えられたとき、遠位部分２６が半径方向に拡張し、それによって動脈瘤塞栓装置１０を解放するという特徴を有する。展開カテーテル１８の遠位部分２６は、２５Ｄ乃至５５Ｄの硬度を有するPebax材料から形成されることが好ましく、４０Ｄの硬度が好ましい硬度である。
【００２５】
図４及び図５は、動脈瘤塞栓装置１０が動脈瘤４６内に配置された展開カテーテル１８を示す図である。さらに詳細には、図５に示すように、液圧が展開カテーテル１８の内腔２４に加えられたとき、展開カテーテル１８の比較的に低い硬度の遠位端２６が半径方向に拡張する。展開カテーテル１８の遠位部分２６が半径方向に拡張し続けると、この点でヘッド部分３０が展開カテーテル１８の内腔２４から外れ、動脈瘤塞栓装置１０が動脈瘤４６内で展開する。
【００２６】
図６に示すように、動脈瘤塞栓装置１０が展開カテーテル１８から解放されるとき、展開カテーテル１８が引かれ、血流を停止するために動脈瘤４６内に動脈瘤塞栓装置１０が残る。
【００２７】
動脈瘤塞栓装置が動脈瘤に正確に送られる新しい装置が開示される。本発明の好ましい実施形態を説明したが、本発明の範囲から逸脱せずに種々の変形が当業者によってなされることは理解すべきである。たとえば、球形部材の数及び球形部材の直径に関しては多数の変形例がある。球形部材の数及び球形部材の寸法は、特定の動脈瘤を治療するために外科医を必要とする寸法に依存する。
【００２８】
他の構造において、動脈瘤塞栓装置は、球形部材の上にポケット部分を有する。このポケット部分は、中心接続部材が球形部材に取り付けられている球形部材上に配置された凹形状のくぼみ部分の形をとる。中心接続部材は、動脈瘤塞栓装置の展開中に球形部材のポケット部分に巻き込まれている。
【００２９】
さらに、動脈瘤塞栓装置は、球形部材のそれ自身の組に球形部材の間に直角ワイヤブランチを含むことができる。これらの直角ブランチ及び追加の球形部材は、さらに、動脈瘤塞栓装置の阻止効果を改善することができる。
【００３０】
他の構造において、動脈瘤塞栓装置は、ヘッド部分と最遠位球形部材との間の中心接続部材に沿って自由に浮く球形部材を含むことができる。これらの自由に浮く球形部材は、中心を通る通路を有し、この通路は、中心接続部材に沿って球形部材がスライドできるようにし、動脈瘤塞栓装置が動脈瘤を埋めるために複雑な形状をとることができるようにする。
【００３１】
これら及び他の変形例は、当業者には明らかであり、これらは、特許請求の範囲内に存在するものである。
【００３２】
本発明の具体的な実施態様は次の通りである。
（実施態様Ａ）
貫通する小径の内腔、近位部分及び遠位部分を有する展開カテーテルであって、体内の血管を通過するために十分な可撓性がある材料から形成され、前記カテーテルの前記近位部分は、液圧が前記カテーテルの前記内腔に加えられたときに半径方向に拡張しない特徴を有し、前記カテーテルの前記遠位部分は、液圧が前記カテーテルの前記内腔に加えられたときに半径方向に拡張する特徴を有する展開カテーテルと、
近位部分及び遠位部分を有し、前記遠位部分は半球の形態をとり、前記近位部分は、シリンダ形状をとるヘッド部分と、
可撓性ファイバの形をとり、近位端及び遠位端を有し、前記近位端が前記ヘッド部分の前記遠位端に取り付けられている中心接続部材と、
小径の球の形をとり、前記中心接続部材の前記遠位端の周りに配置された球形部材と、
前記展開カテーテルの近位部分に接続され、液圧発生装置に適用されるコネクタと、を有し、
前記ヘッド部分の前記近位部分は、液圧が前記カテーテルの内腔に加えられたときに前記カテーテルの前記遠位部分が半径方向に拡張し、前記ヘッド部分を解放するように前記展開カテーテルの遠位部分内に配置されている、動脈瘤塞栓装置及び人体の血管内の所定の位置に前記動脈瘤塞栓装置を配置する展開装置。
（１）前記ヘッド部分及び前記球形部材は、ポリマー材料からつくられる実施態様Ａに記載の動脈瘤塞栓装置及び展開装置。
（２）前記ヘッド部分及び前記球形部材は、前記金属材料からつくられる実施態様Ａに記載の動脈瘤塞栓装置及び展開装置。
（３）前記中心接続部材は、前記ワイヤが前記血管内の前記選択位置で展開した後、前記ワイヤが所定の形状をとるように形状記憶ワイヤの形態をとる実施態様Ａに記載の動脈瘤塞栓装置及び展開装置。
（４）前記中心接続部材は、伸長可能なファイバである実施態様Ａに記載の動脈瘤塞栓装置及び展開装置。
（５）前記ヘッド部分は、前記中心接続部材が前記ヘッド部分に取り付けられている位置で前記ヘッド部分の凹形状のくぼみ部分の形をとるポケットを有し、展開中、前記中心接続部材が前記ポケット内に巻き込まれる実施態様Ａに記載の動脈瘤塞栓装置及び展開装置。
【００３３】
（６）前記球形部材は、前記中心接続部材が前記球形部分に取り付けられている位置で前記球形部材の凹形状くぼみ部分の形をとるポケットを有し、展開中、前記中心接続部材が前記ポケット内に巻き込まれる実施態様Ａに記載の動脈瘤塞栓装置及び展開装置。
（７）前記球形部材は、前記球形部材に放射状に取り付けられている複数の可撓性フィラメントを有し、前記球形部材の阻止効果を向上させる実施態様Ａに記載の動脈瘤塞栓装置及び展開装置。
（８）前記球形部材は、前記球形部材の周囲にタイムリリース接着剤を有し、前記球形部材の阻止効果を向上させる実施態様Ａに記載の動脈瘤塞栓装置及び展開装置。
（９）前記動脈瘤塞栓装置は、６つの球形部材を有する実施態様Ａに記載の動脈瘤塞栓装置及び展開装置。
（関連態様Ｂ）
近位部分及び遠位部分を有し、前記遠位部分は半球の形をとり、前記近位部分は、シリンダ形状をとるヘッド部分と、
可撓性ファイバの形をとり、近位端及び遠位端を有し、前記近位端が前記ヘッド部分の前記遠位端に取り付けられている中心接続部材と、
小径の球の形をとり、前記中心接続部材の前記遠位端の周りに配置された球形部材と、を有する血管内の所定の位置で血流を妨げるために使用される動脈瘤塞栓装置。
（１０）前記ヘッド部分及び前記球形部材は、ポリマー材料からつくられる関連態様Ｂに記載の動脈瘤塞栓装置。
【００３４】
（１１）前記ヘッド部分及び前記球形部材は、前記金属材料からつくられる関連態様Ｂに記載の動脈瘤塞栓装置。
（１２）前記中心接続部材は、前記ワイヤが前記血管内の前記選択位置で展開した後、前記ワイヤが所定の形状をとるように形状記憶ワイヤの形態をとる関連態様Ｂに記載の動脈瘤塞栓装置。
（１３）前記中心接続部材は、伸長可能なファイバである関連態様Ｂに記載の動脈瘤塞栓装置。
（１４）前記ヘッド部分は、前記中心接続部材が前記ヘッド部分に取り付けられている位置で前記ヘッド部分状の凹形状のくぼみ部分の形をとるポケットを有し、展開中、前記中心接続部材が前記ポケット内に巻き込まれる関連態様Ｂに記載の動脈瘤塞栓装置。
（１５）前記球形部材は、前記中心接続部材が前記球形部分に取り付けられている位置で前記球形部材状の凹形状くぼみ部分の形をとるポケットを有し、展開中、前記中心接続部材が前記ポケット内に巻き込まれる関連態様Ｂに記載の動脈瘤塞栓装置。
【００３５】
（１６）前記球形部材は、前記球形部材に半径方向に取り付けられている複数の可撓性フィラメントを有し、前記球形部材の阻止効果を向上させる関連態様Ｂに記載の動脈瘤塞栓装置。
（１７）前記球形部材は、前記球形部材の周囲にタイムリリース接着剤を有し、前記球形部材の阻止効果を向上させる関連態様Ｂに記載の動脈瘤塞栓装置。
（１８）前記動脈瘤塞栓装置は、６つの球形部材を有する関連態様Ｂに記載の動脈瘤塞栓装置。
【００３６】
【発明の効果】
本発明によれば、大きくまたは広範囲にわたる首の動脈瘤をふさぎ、動脈瘤内で塞栓装置を開放する展開装置を提供することができる。
【図面の簡単な説明】
【図１】動脈瘤塞栓装置が展開装置の展開カテーテル内に配置されている動脈瘤塞栓装置と展開装置の拡大部分断面図である。
【図２】ヘッド部分、中心接続部材によってヘッド部分に接続された６つの球形部材、及び球形部材に取り付けられたフィラメントを有する動脈瘤塞栓装置を示す拡大斜視図である。
【図３】展開カテーテル内に配置され送りカテーテルを通って搬送されている動脈瘤塞栓装置の拡大部分断面図である。
【図４】大きな動脈瘤内に配置された動脈瘤塞栓装置を示す拡大部分断面図である。
【図５】展開カテーテルの遠位部分の半径方向を拡張し、それによって動脈瘤塞栓装置を解放することを示す拡大部分断面図である。
【図６】大きな動脈瘤内で展開された動脈瘤内の血流を妨げる動脈瘤塞栓装置の拡大部分断面図である。
【符号の説明】
１０  動脈瘤塞栓装置
１２  展開装置
１４  シリンジ
１６  近位部分
１８  展開カテーテル
２２  ハンドル
３０  ヘッド部分
３２  球形部分
３６  遠位部分
３８  近位部分
４０  フィラメント
【図１】
0004248808.tif 000002
【図２】
0004248808.tif 000003
【図３】
0004248808.tif 000004
【図４】
0004248808.tif 000005
【図５】
0004248808.tif 000006
【図６】
0004248808.tif 000007